(57)【特許請求の範囲】
【請求項１】
ケーシング（１）と、
前記ケーシング（１）に対して弾性部材（３）を介して弾性的に支持された再生装置（２）と、
前記ケーシング（１）と前記再生装置（２）との間に介設される減衰装置（１０）とからなり、
前記減衰装置（１０）は、
熱可塑性弾性材料で形成され、
複数の環（１２ａ，１２ｂ，１２ｃ，１２ｄ）からなる同心環部（１２）と、
前記同心環部（１２）を形成する複数の環（１２ａ，１２ｂ，１２ｃ，１２ｄ）を連結する連結部（１２ｆ，１２ｇ，１２ｈ）と、
前記同心環部（１２）の各環間に周方向に角度間隔をおいて、複数のリブ（３５）が設けられていることを特徴とする記録再生装置の防振装置。
【発明の詳細な説明】
【０００１】
【産業上の利用分野】
本発明は、記録再生装置の防振装置に関する。さらに詳しくは、ＣＤ（コンパクト・ディスク）、フロッピー・ディスクなどの記録媒体から画像などの情報を再生する再生装置に衝撃などにより発生する振動を和らげ減衰させるための記録再生装置の防振装置に関する。
【０００２】
【従来の技術】
ＣＤはデジタル符号化されたオーディオ信号をビット（凹部）の列として記録した小径のディスクである。このようなディスクに記録された情報は、再生装置においてレーザー光により再生される。自動車内などで再生装置に振動が発生する。再生装置に振動が発生すると、レーザー光が所定のビットに照射されない。このような振動は極力避けなければならない。
【０００３】
従来、記録再生装置の防振装置として次のようなものが知られている。記録再生装置の防振装置はケーシングを有し、ケーシング内に再生装置が弾性吊具を介して懸垂されるとともに減衰手段を介して支持されている。このような減衰手段は、図１３に示すようなものである。減衰手段７１は、ケーシングに取り付けられるブラケット７２と再生装置本体７３から突出している支持棒７４との間に介設されている。エンジニアリング・プラスチクスで作られたブラケット７２には筒状部７６が設けられている。筒状部７６内に軟質ゴム製の袋状振動減衰用減衰体７５が取り付けられている。この袋状振動減衰用減衰体７５の外側から減衰体７５を凹状に変形させて前記支持棒７４が減衰体７５に入り込んでいる。この減衰体７５は密閉構造に形成されており、内部にシリコンオイルが封入されている。  自動車内に備えられるこのような減衰体は、大量に生産されるものであるので、減衰効果と同時に量産性、低廉化が要求される。量産性・低廉化を図った記録再生装置の防振装置として、特開平４−１５７６９１号公報に示されるものが知られている。このものは、前記ブラケット７２のエンジニアリング・プラスチクスと減衰体７５の軟質の熱可塑性弾性樹脂とを射出成形型により１体に熱融着し内部にシリコンオイルを封入して減衰手段を形成したものである。
【０００４】
最近の再生装置には、所定のビットからヘッドがずれる直前のビットの位置を常に記録し、所定のビットからレーザー光がずれてもずれる前のビットの位置にレーザー光を速やかに戻す技術が採用されるようになった。このため、防振・減衰技術よりも量産性、低廉化技術の方が重視されるようになってきた。
【０００５】
【発明が解決しようとする課題】
この発明は上述のような技術的背景のもとになされたものであり、下記目的を達成する。
【０００６】
この発明の目的は、シリコンオイルの密封による減衰手段を使わずに量産性に重点をおいた記録再生装置の防振装置を提供することにある。
【０００７】
この発明の他の目的は、シリコンオイルの密封による減衰手段を使わずに低廉化に重点をおいた記録再生装置の防振装置を提供することにある。
【０００８】
【課題を解決するための手段】
この発明は、前記目的を達成するため、次の手段を採る。
【０００９】
この発明の記録再生装置の防振装置は、
ケーシング（１）と、
前記ケーシング（１）に対して弾性部材（３）を介して弾性的に支持された再生装置（２）と、
前記ケーシング（１）と前記再生装置（２）との間に介設される減衰装置（１０）とからなり、
前記減衰装置（１０）は、
熱可塑性弾性材料で形成され、
複数の環（１２ａ，１２ｂ，１２ｃ，１２ｄ）からなる同心環部（１２）と、
前記同心環部（１２）を形成する複数の環（１２ａ，１２ｂ，１２ｃ，１２ｄ）を連結する連結部（１２ｆ，１２ｇ，１２ｈ）と、
前記同心環部（１２）の各環間に周方向に角度間隔をおいて、複数のリブ（３５）が設けられていることを特徴とする。
【００１２】
【作用】
この発明の記録再生装置の防振装置は、同心環部１２の複数の同心環が連結部を支点にラッパ形状に膨張収縮する。同心環の連結部を支点とするラッパ形状の膨張収縮により振動エネルギーが減衰する。
【００１３】
【実施例】
（実施例１）
次に、本発明の実施例を説明する。図１は本発明の記録再生装置の防振装置の実施例１を示し、正面断面図である。ケーシング１に懸垂された状態でケーシング１内に再生装置２が収容されている。再生装置２は弾性吊具３により弾性的に懸垂されている。弾性吊具３はすり割り４が中央に設けられた係止部５を上下端に備えている。上下の係止部５は中間の連結部６により１体に連結されている。連結部６は弾性材料により作られている。上方の係止部５がケーシング１の天井壁に開けられた取り付け穴１ａに、下方の係止部５が再生装置２の天井壁に開けられた取り付け穴２ａに差し込まれている。
【００１４】
減衰装置１０がケーシング１と再生装置２との間に介設されている。減衰装置１０は円筒部１１と同心環部１２とからなる。図２に示すように、円筒部１１には取り付け部１３が１体に形成されている。取り付け部１３には取り付けネジ挿入用穴１４が設けられている。図１に示すように、取り付けネジ挿入用穴１４から取り付けネジ１５を差し込み、ケーシング１の側壁に取り付けネジ１５を差し込み、取り付け部１３をケーシング１に固定している。
【００１５】
図２、図３に示すように、同心環部１２は、中心の環１２ａと外側の環１２ｂと中間の２重の環１２ｃ，１２ｄとからなる。中心の環１２ａの１端部は閉じ環１２ｅにより閉じられている。中心の環１２ａと中間の２重の環の内側の環１２ｄとは滑らかに曲がる輪状の連結部１２ｆにより連結されている。中間の２重の環１２ｃと１２ｄは滑らかに曲がる輪状の連結部１２ｇにより連結されている。外側の環１２ｂと中間の２重の環の外側の環１２ｃとは滑らかに曲がる輪状の連結部１２ｈにより連結されている。
【００１６】
円筒部１１の内周面側に段部１１ａが設けられている。段部１１ａで区切られる大径側内周面に同心環部１２の外側の環１２ｂが面接合している。支持棒１６が水平向きに取り付けられている。中心の環１２ａに支持棒１６が挿入されている。
【００１７】
円筒部１１は取り付け部１３と１体に射出成形手段により成形されている。円筒部１１の材質は、ＡＢＳ、ポリカーボネート、ＰＰ、ＰＢＴ、ナイロン６，１１，１２などの機械的強度が強く、成形性がよいもの、いわゆるエンジニアリング・プラスチクスである。同心環部１２には軟質の熱可塑性弾性材料が用いられている。この熱可塑性弾性材料としては、たとえば、ナイロン・エラストマー、ポリウレタン系エラストマー、ポリエステル・エラストマーなどから選択される。特に、前記エンジニアリング・プラスチクスから選ばれる材料に対して熱融着性がある軟質の弾性材料が選ばれる。
【００１８】
（製造法）
前記減衰装置１０は次のようにして製造される。円筒部１１は取り付け部１３と１体にエンジニアリング・プラスチクスを材料として射出成形により作られる。射出成形により作られた円筒部１１を次工程の射出成形を行うための射出成形金型２０に組み込む。図４に示すように、射出成形金型２０は３分割された金型２０ａ，２０ｂ，２０ｃからなる。金型２０ａは２つの円筒状突出部２０ｄ，２０ｅを有している。金型２０ｂ，２０ｃは１つに合体したときに、１つの円筒状突出部２０ｆと１つのピン状突出部２０ｇを有する。参照番号２１は固定金型２０ａに設けられたゲートを示す。
【００１９】
固定金型２０ａの円筒状突出部２０ｄに円筒部１１をはめ込む。次に図中矢ａで示す軸方向に金型２０ｂ，２０ｃを進行させる。金型２０ｂ，２０ｃは僅かに離隔させて進行させる。円筒部１１にぶつかった金型２０ｂ，２０ｃを互いに中心側に僅かに近寄らせ、図４に示すように、金型２０ｂ，２０ｃを合体させる。金型２０ａ，２０ｂ，２０ｃにより図４に示す空洞２２ができる。この空洞は、中心の環１２ａと外側の環１２ｂと中間の２重の環１２ｃ，１２ｄとからなる同心環部１２に相当する。ゲート２１から軟質の熱可塑性弾性材料特に熱融着性がある軟質の熱可塑性弾性材料が注入される。冷却後に、金型２０ｂ，２０ｃを後退させ円筒部１１を同心環部１２と１体に金型２０ａから引き抜き図２に示す減衰装置１０を取り出す。
【００２０】
（実施例１の動作）
次に、前記実施例１の動作を説明する。ケーシング１は自動車、船舶などに固定されている。自動車、船舶などの振動は弾性吊具３を介して再生装置２に伝わる。自動車、船舶などの急な振動は弾性吊具３により緩和され再生装置２に伝達される。再生装置２の振動は支持棒１６を介して減衰装置１０の同心環部１２に伝わる。中心の環１２ａに伝達された支持棒１６の振動は、連結部１２ｆを介して中間の環１２ｄに伝達される。中間の環１２ｄに伝達された振動は連結部１２ｇを介して中間の環１２ｃに伝達される。中間の環１２ｃに伝達された振動は連結部１２ｈを介して円筒部１１に伝達され円筒部１１により反射する。このように連結部１２ｆ，１２ｇ，１２ｈを介して、中心の環１２ａ、中間の２重の環１２ｃ，１２ｄ，外側の環１２ｂの間で振動が繰り返し伝播する間に、振動エネルギーが減衰する。
【００２１】
（実施例２）
図５は、本発明の記録再生装置の防振装置の実施例２を示し、正面断面図である。図２に示した実施例１の円筒部１１と同心環部１２の構成はそのまま実施例２に採用されている。同心環部１２の中心の環１２ａと中間の環１２ｄとで挟まれる環状空間に環状の減衰用詰め物３０が設けられている。減衰用詰め物３０の側端部は連結部３０ａにより連結されている。減衰用詰め物３０は軟質の熱可塑性弾性材料で作られている。独立に射出成形により作った減衰用詰め物３０を同心環部１２に挿入してもよいが、図２に示す同心環部１２と別の射出成形金型（図示せず）とで減衰用詰め物３０に相当する空洞を形成してその空洞に減衰用詰め物用熱可塑性弾性材料を注入して、同心環部１２と減衰用詰め物３０を１体に、特に、熱融着により１体に形成することができる。この場合、同心環部１２と減衰用詰め物３０とには、減衰率の異なる材料たとえば硬度を変えた材料を用いる。
【００２２】
このような減衰用詰め物３０を同心環部１２に詰めておくと、支持棒１６から振動を受けた減衰用詰め物３０の環状部がラッパ形状に膨張収縮し、特に、連結部３０ａを支点にラッパ形状に膨張収縮し、振動エネルギーがより効果的に減衰する。
【００２３】
図６は、図５に示した前記実施例２を少し改変したもので、円筒状の減衰用詰め物３１を挿入する同心環部１２の位置が実施例２のものと異なる。この円筒状の減衰用詰め物３１は、同心環部１２の外側の環１２ｂと中間の環１２ｃとの間の環状空間に挿入されている。
【００２４】
このような減衰用詰め物３１を同心環部１２に詰めておくと、ケーシング１から取り付け部１３を介して振動を受けた減衰用詰め物３１の環状部がラッパ形状に膨張収縮し、特に、取り付け部１３から伝達される振動エネルギーがより効果的に減衰する。
【００２５】
（実施例３）
図７、図８は本発明の実施例３を示し、それぞれ正面断面図および側面断面図である。この実施例は同心環部１２の各環間にリブ３５が設けられている。すなわち環１２ａと環１２ｄとの間、環１２ｄと環１２ｃとの間、環１２ｃと環１２ｂとの間にリブ３５が設けられている。
【００２６】
リブ３５は周方向に角度間隔（この実施例では９０度）を置いて複数設けられ、また半径方向に隣接するリブどうしは角度（この実施例では４５度）をずらして設けられている。図７、図８に示すリブ３５は直線状のものであるが、図９に示すようにＵ字状（（ａ））、あるいはＳ字状（（ｂ））その他の形状とすることができる。このようなリブ３５を設けることにより、支持棒１６を介して伝達される半径方向の振動を全周にわたって効果的に減衰させることができる。
【００２７】
（実施例４）
図１０は本発明の実施例４を示す断面図である。この実施例は中心環１２ａの端部を開口するように成形し、この開口端部を円筒状のプラグ３６で閉鎖したものである。このプラグ３６は硬質のエンジニアリング・プラスチクスで作られている。支持棒１６の先端部はプラグ３６の円筒部３７に挿入されている。
【００２８】
この実施例によれば、支持棒１６を介してその軸線方向の振動が伝達されても、中心環１２ａの端部がプラグ３６によって補強されているので、中心環１２ａが簡単に破損することがない。この実施例では中心環１２ａを円筒部３７の内周面に固着しているが、外周面に固着してもよい。
【００２９】
（実施例５）
図１１は、本発明の記録再生装置の防振装置の実施例５を示し、図２に示した実施例１の同心環部１２の構成はそのまま実施例５に採用されている。図２に示した実施例１の円筒部１１の取り付け部１３はない。円筒部１１はケーシング１と１体に射出成形により作られている。
【００３０】
（その他の実施例）
本発明は、上記実施例に限られることはなく、本発明の趣旨の範囲内で、設計変更が行われる。たとえば、減衰装置１０を設ける位置は、図１に示した側方に限られず図１２に示すように、下方側に設けることができる。また、図１に示した実施例は、再生装置２をケーシング１から懸垂しているが、図１の天地を逆にした状態も同様の緩和・減衰効果がある。また、図１で、ケーシング１と再生装置２を入れ替えることができる。すなわち、再生装置２を車体に固定するケーシングと考え、ケーシング１を再生装置と考えることができる。
【００３１】
【発明の効果】
この発明によると、次の効果が奏される。シリコンオイルの密封による減衰手段を使わないので量産性に重点をおいた設計をすることができる。また、低廉化することができる。
【図面の簡単な説明】
【図１】図１は、本発明の記録再生装置の防振装置の実施例１を示し、正面断面図である。
【図２】図２は、図１の１部の正面断図である。
【図３】図３は、図２のＩＩＩ  −ＩＩＩ  線における矢視断面図である。
【図４】図４は、実施例１の製造に用いる射出成形金型を示し、断面図である。
【図５】図５は、減衰装置の実施例２を示し、断面図である。
【図６】図６は、減衰装置の実施例２の変形例を示し、断面図である。
【図７】図７は、減衰装置の実施例３を示し、正面断面図である。
【図８】図８は、実施例３の側面断面図である。
【図９】図９は、実施例３の変形例を示し、断面図である。
【図１０】図１０は、減衰装置の実施例４を示し、正面断面図である。
【図１１】図１１は、本発明の記録再生装置の防振装置の実施例５を示し、正面断面図である。
【図１２】図１２は、本発明の記録再生装置の防振装置のその他の実施例を示し、正面断面図である。
【図１３】図１３は、従来の記録再生装置の防振装置を示し、正面断面図である。
【符号の説明】
１…ケーシング１
２…再生装置２
３…弾性吊具３
１０…減衰装置１０
１２…同心環部
１２ａ…中心の環
１２ｂ…外側の環
１２ｃ，１２ｄ…中心の環
１２ｅ…閉じ環
１２ｆ，１２ｇ，１２ｈ…連結部
【図１】
0003581167.tif 000002
【図２】
0003581167.tif 000003
【図３】
0003581167.tif 000004
【図１３】
0003581167.tif 000005
【図４】
0003581167.tif 000006
【図５】
0003581167.tif 000007
【図６】
0003581167.tif 000008
【図７】
0003581167.tif 000009
【図９】
0003581167.tif 000010
【図８】
0003581167.tif 000011
【図１０】
0003581167.tif 000012
【図１１】
0003581167.tif 000013
【図１２】
0003581167.tif 000014